(57)【要約】【課題】効率性の高い保健・医療用粘着フィルム。【解決手段】請求項１のものは、正六角形の保健・医療用粘着物質２０がは、保健・医療用のフィルム状の単独基材１０の片面全面に塗布又は貼付されたものであって、以下に述べる正六角形空白区域３０を有する。上記の正六角形空白区域３０は、上記の正六角形の保健・医療用粘着物質２０の幕内に設けられたものであってこの正六角形と同方向で且つ同心上に設けられたもので、１本以上の正六角形の空白の溝３０ａ又は／及び空白の面３０ｂから成っている。請求項２のものは、請求項１の正六角形状のハニカムエレメントＨが多数集まり、それぞれその側辺を結合又は平行場に離れてして平らなハニガム形状に配列されたもので、これが１枚の保健・医療用のフィルム状のハニカム基材１０ａ上に塗布や貼付されたものである。【選択図】図１
2008000507.tif 000002
【特許請求の範囲】
【請求項１】
正六角形の保健・医療用のフィルム状の単独基材、該保健・医療用のフィルム状の単独基材の片面全面に塗布又は貼付された皮膚及び／又は筋肉及び／又は骨及び／又は靭帯及び／又は関節及び／又は腱を対象の正六角形の保健・医療用粘着物質、該正六角形の保健・医療用粘着物質の幕内に設けられたものであってこの正六角形と同方向で且つ同心上に設けられた１以上の正六角形の空白の溝又は／及び１個の正六角形の空白の面から成る正六角形空白区域、より構成されることを特徴とした正六角形状の保健・医療用粘着フィルム。
【請求項２】
１枚の保健・医療用のフィルム状のハニカム基材、該１枚の保健・医療用のフィルム状のハニカム基材の片面に塗布又は貼付される皮膚及び／又は筋肉及び／又は骨及び／又は靭帯及び／又は関節及び／又は腱を対象の正六角形の保健・医療用粘着物質であってこの正六角形の保健・医療用粘着物質の幕内に設けられるものであり且つこの正六角形と同方向で同心上に設けられる１以上の正六角形の空白の溝又は／及び１個の正六角形の空白の面から成る正六角形空白区域より成る正六角形状のハニカムエレメントでありさらにこの正六角形状のハニカムエレメントが多数集まりそれぞれその側辺を結合して又は平行的に隔離して平らなハニガム形状に配列され上記の１枚の保健・医療用のフィルム状のハニカム基材の上記の片面に塗布又は貼付されたハニカム配列体、より構成されることを特徴とした正六角形状の保健・医療用粘着フィルム。
【発明の詳細な説明】
【技術分野】
【０００１】
本発明は、広くは粘着テープに関するものであり、特に皮膚や筋肉とか骨や靭帯、関節及び腱などを対象とした保健・医療用の正六角形の粘着テープに関するものである。就中、その請求項２の発明は、テープに塗布されている粘着物質が一片が正六角形のもので全体で平らなハニガム形状を成している保健・医療用テープに関するものである。
【背景技術】
【０００２】
皮膚や筋肉などを怪我したときに、医薬が使用の治療用粘着テープを必要な箇所に貼付して治療に当たることが多い。そのテープは伸縮性のない布などから、伸縮性の有るものへと進化した。しかし、その治療用テープはいずれも、そのテープの全面に治療用医薬が一様に塗布されているに過ぎない。
【０００３】
しかして、立体のハニカム構造は力学的に非常に強度が強く、軽量で、且つスペースの節約を発揮するなどのメリットがある。それ故に、自然界のみつ蜂やすずめ蜂の巣ばかりでなく、人工的にはそれを応用して、陸海空を始めとして宇宙などの各種の構造物に応用されている。
【０００４】
みつ蜂の巣があのようなハニカム構造になっているのは、巣の材料（みつ蝋）が最小限の量で最大限の量の蜂密を入れることのできる部屋の構造となるからである。要するに、ハニカム構造は、材料の効率の点からも優れたものと言えるのである。
【０００５】
一方、平らな鍋に水を入れて鍋底を均等に加熱するときであって、非常に微弱な火力でそのお湯が微弱に沸き立ち始めるときに、そのお湯の対流に特殊なパターンが出る。そのパターンは、ハニカム構造のお湯の対流パターンであって、これは下記の非特許文献が言及しているペナール対流と言うものである。このようなハニカムパターンの対流は、ごく微弱なエネルギーでお湯沸きの対流が起きることを示したものである。
【０００６】
本願発明は、この少量の物質とか微弱エネルギーで効率の良いハニカムパターンを保健・医薬用粘着テープに応用したものである。
【発明の開示】
【発明が解決しようとする課題】
【０００７】
しかして、本願発明が解決しようとする問題点は、従来の保健・医薬用粘着テープは、そのテープ製の基材面の全面にわたって均等にその保健・医療用粘着物質を塗布してある点である。これには、その効率性が何も図られていない。これでは、極端な表現をすると、「押さえ込む」と言う状態で、その保健・医療用粘着物質を身体に作用させていると言う感じになる。
【０００８】
保健・医療用粘着テープは、一般の者は患部の適当な箇所に適当に貼付している。しかし、その貼付には正式には特殊な技術を要して、どの患部のどの箇所にどのように貼付するのかは大切なことである。それが、整骨院に携わる柔道整復師の技術なのである。丁度、鍼灸師が、鍼灸をどの箇所にどのように施すのかのいわゆる「つぼ」といわれている経絡経穴を必要とすることと同様なことである。本願発明は、本願発明の発明者である柔道整復師のそのような深い体験に基づいて生まれたものである。
【０００９】
なお、本願発明の請求項２における「ハニカム」に関して、下記の特許文献が２件ある。その特許文献１は、要するに「バンドエイド」（商標）のようなもので、真ん中に相承被服層４４（その明細書の段落００３７と図４）があり、そこが薬効手段であって、その両端は粘着テープとなっているものである。これは本願とは異なり、その創傷被服層４４は「ハニカム」ではなく、その薬効効果のないテープ部分がハニカムである。それ故に、その薬効手段がハニカムとなる本願発明の請求項２のものと技術的構成は異なる。また、その特許文献２にも、ハニカムという表現がある。しかしこれは、その請求項３で「−−−前記凹みはハニカムパターン形状−−−」としてその請求項２を通じて、その請求項１におっている。そして、その重要な請求項１では、「−−−凹みパターンは、線形ではなく少なくとも三つの主方向に配列された複数の凹みのパターンな形状を成した−−−」としている。これでは、「ハニカム」に結びつく表現には成らず、矛盾した技術文献であり、「ハニカムの技術」を公開しているものとは言えない。
【特許文献１】特開２００３−５０９１２１
【特許文献２】特開２００６−５０７０６５
【非特許文献１】マーク・ブキャナン著  坂本芳久訳  複雑な世界、単純な法則（１４５頁）  草思社
【非特許文献２】Joseph 著  中村千秋  渡辺賢一  翻訳  動きでわかる解剖と機能  株式会社  医道の日本社
【課題を解決するための手段】
【００１０】
本発明にかかる正六角形状の保健・医療用粘着フィルムは、以上の課題を解決するために、その請求項１においてはその保健・医療用粘着フィルム製基材を正六角形状とした。そして、その保健・医療用粘着物質をその正六角形状のフィルム製基材面に塗布したものである。具体的には、その保健・医療用粘着物質をその正六角形状のフィルム製基材面に塗布したものが基本であるが、以下に差があるのである。まず、（１ａ）その正六角形の保健・医療用粘着物質の幕内に正六角形の空白の溝が同心上に１本塗布又は貼付されたもの。そして、（１ｂ）この溝が複数のもの。さらに、（１ｃ）この溝に代えて、正六角形の空白の面が１個塗布又は貼付されたもの。そして、（１ｄ）正六角形の空白の面が１個と正六角形の空白の溝が１本塗布又は貼付されたもの。最後に、（１ｅ）正六角形の空白の面が１個と正六角形の空白の溝が複数本塗布又は貼付されたものとである。
【００１１】
以下に、本発明にかかる正六角形状の保健・医療用粘着フィルムの具体的な構成を詳細に記載する。最初に、本発明の請求項１に記載した発明の構成を説明する。この発明は、まず、正六角形の保健・医療用のフィルム状の単独基材がある。つぎに、正六角形の保健・医療用粘着物質がある。この正六角形の保健・医療用粘着物質は、上記の保健・医療用のフィルム状の単独基材の片面全面に塗布又は貼付された皮膚及び／又は筋肉及び／又は骨及び／又は靭帯及び／又は関節及び／又は腱を対象の正六角形の保健・医療用粘着物質の幕内に設けられたものであってこの正六角形と同方向で且つ同心上に設けられた１以上の正六角形の空白の溝又は／及び１個の正六角形の空白の面から成る正六角形空白区域を有するものである。
【００１２】
つぎに、本発明にかかる正六角形状の保健・医療用粘着フィルムの請求項２に記載した発明の構成を説明する。この発明は、その基本的な箇所の構成は上記の請求項１の発明の構成と同一である。そして、上記の請求項１の発明の構成のものが多数平らなハニガム形状に配列されたものである。この発明と上記の請求項１の発明の構成との差異は、まず上記の請求項１の保健・医療用のフィルム状の単独基材は正六角形である。これに対して、この請求項２の保健・医療用フィルム状のハニカム基材は、１枚のシートであることである。そして、この１枚の保健・医療用のフィルム状のハニカム基材の上に、上記の請求項１の正六角形状の保健・医療用粘着フィルムが多数小片となって、平らなハニガム状に配列されるものである。ただし、このハニカムの配列の仕方は２通りあって、その１は、（２Ａ）その正六角形状のハニカムエレメントが、それぞれその側辺を結合して平らなハニガム形状に配列されされているもの。そして、その２は、（２Ｂ）その正六角形状のハニカムエレメントが、それぞれその側辺を平行的に隔離して平らなハニガム形状に配列されているかの差である。
【００１３】
以下に、本発明にかかる正六角形状の保健・医療用粘着フィルムの請求項２に記載した発明の具体的な構成を説明する。この発明は、まず１枚の保健・医療用のフィルム状のハニカム基材がある。そして、ハニカム配列体がある。このハニカム配列体は、上記の１枚の保健・医療用のフィルム状のハニカム基材の片面に塗布又は貼付されたものである。
【００１４】
しかして、上記のハニカム配列体は、下記の正六角形状のハニカムエレメントが多数集まりそれぞれその側辺を結合して又は平行的に隔離して平らなハニガム形状に配列されたものである。そして、上記の正六角形状のハニカムエレメントは、上記の１枚の保健・医療用のフィルム状のハニカム基材の上記の片面に塗布又は貼付されたされる皮膚及び／又は筋肉及び／又は骨及び／又は靭帯及び／又は関節及び／又は腱を対象の正六角形の保健・医療用粘着物質であって、この正六角形の保健・医療用粘着物質の幕内に設けられるものであり、且つこの正六角形と同方向で同心上に設けられた１以上の正六角形の空白の溝又は／及び１個の正六角形の空白の面から成る正六角形空白区域を有したものより成る。
【発明の効果】
【００１５】
本発明にかかる正六角形状の保健・医療用粘着フィルムは、以上のごとくになしたゆえに、上記の課題を解決して以下のごとき多大な効果が生じた。すなわち、正六角形には放射状に柔軟で安定した固定をする性質がある（正六角形が集合した状態がハニカム構造である）。そして、本願発明は、その性質を利用したものである。しかして、皮膚に正六角形状のテーピングを貼付することによりその部位を皮膚固定した状態にするものである。さらに、その皮下に存在する筋肉、腱、靭帯、関節を安定した状態にし、かつ整え症状を改善に導くものである。さらには、身体に対しての捻挫・打撲・挫傷・筋損傷時に起きる炎症や腫脹部位に貼付すると飛躍的にそれらが軽減させることが出来るものとなった。具体的には、筋肉と腱は弛緩し、関節は可動域が改善する。
【発明を実施するための最良の形態】
【００１６】
正六角形にカットした保健・医療用粘着物質が塗布又は貼付されたテープを使用することで、身体に対する筋・腱の硬結及び、疼痛部位に関連する筋、腱の起始（非可動部）停止（可動部）及び靭帯付着部に値する皮膚上に正六角形にカットした保健・医療用粘着物質が塗布又は貼付されたテープを貼付する。さらには、身体の関節に対する疼痛部位及び、関節可動域減少部に値する皮膚上に正六角形のテーピングを貼付する。上記の行為より症状は、飛躍的に改善する。その上に、本願発明の請求項２のものは、保健・医療用粘着テープを正六角２２平らなハニガム模様にしたことにより、貼付箇所の皮膚の働きを改善し、それに伴い皮膚の内側の働きも改善されていくと言う利点がある。
【００１７】
しかして、正六角形とハニカムが持つ固有情報は、まず一面に粘着物が塗布してあると、縦方向の皮膚の動きは適応できる。しかし、ハニカム状にすることで縦・横・斜めの複合された皮膚の動きに対しても無理のない状態でテーピング自体が同調伸縮する。そして、一面に粘着物質が塗布してあると、通気性が乏しくかぶれやすい。それで、ハニカム状にしてあることで通気性を確保し、かぶれに対しても一定の効力を持つ。すなわち、皮膚の抵抗感が少ないことは、皮膚の抵抗が少ないことでありかぶれにくいことである（皮膚の動きに抵抗があり、貼付箇所が擦れるとかぶれが一番起こりやすい）。そこで、ハニカム状にすることで、縦・横・斜めの皮膚の動きが出しやすくなる。テーピングの同調伸縮で、一定のマッサージ効果も期待できる。リンパの働きも良くなり、身体の機能を高める結果となった。
【００１８】
以下に、本発明にかかる正六角形状の保健・医療用粘着フィルムの実施例を述べる。最初に、本発明の請求項１に記載した発明の実施例を説明する。この発明は、まず、正六角形の保健・医療用粘着フィルム製単独基材１０を正六角形状としたものである。そして、その保健・医療用粘着物質２０をその正六角形状のフィルム製単独基材１０の片面に、所定の空白区域３０を設けて、塗布・貼付したもので、この空白区域３０を含んだ塗布・貼付面が、ハニカムエレメントＨとして、次に述べる請求項２を構成するものである。以下に、この請求項１の実施例を５例あげたが、何れも具体的には、その保健・医療用粘着物質２０をその正六角形状のフィルム製単独基材１０の一方の面（片面）に塗布したものが基本であるが、以下に差があるのである。
【実施例１】
【００１９】
まず、その１の実施例であるが、（１ａ）これは図１の平面図と図２の正面断面図に示すように、その正六角形の保健・医療用粘着物質２０の幕内に正六角形の空白の溝１０ａが同心上に１本設けられたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１本の正六角形の空白の溝３０ａから成っている。
【実施例２】
【００２０】
次の実施例は、（１ｂ）図３の平面図と図４の正面断面図に示すように、上記の溝３０ａが複数のものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、複数本の正六角形の空白の溝３０ａから成っている。
【実施例３】
【００２１】
その３は、（１ｃ）図５の平面図と図６の正面断面図に示すように、上記の溝３０ａに代えて、正六角形の空白の面３０ｂが１個塗布又は貼付されたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１個の正六角形の空白の面３０ｂから成っている。
【実施例４】
【００２２】
そしてその４つ目の例は、（１ｄ）図７の平面図と図８の正面断面図に示すように、正六角形の空白の面３０ｂが１個と正六角形の空白の溝３０ａが１本塗布又は貼付されたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１本の正六角形の空白の溝３０ａと１個の空白の面３０ｂから成っている。
【実施例５】
【００２３】
最後に、その５例は、（１ｅ）図９の平面図と図１０の正面断面図に示すように、正六角形の空白の面３０ｂが１個と正六角形の空白の溝３０ａが複数本塗布又は貼付されたものとである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、複数本の正六角形の空白の溝３０ａと１個の空白の面３０ｂから成っている。
【実施例６】
【００２４】
しかして、以下に請求項２に記載の実施例を述べる。これは、基本的には上記の請求項１と同じものであり、この請求項１を構成している正六角形の保健・医療用粘着物質２０正六角形空白区域３０とから成るハニカムエレメントＨの各実施例の説明はこの請求項２の各実施例にそのまま援用される。しかして、この実施例６のハニカムエレメントＨは、上記の実施例１の説明をここに援用する。そして、そのハニカムエレメントＨがハニカム状に配列されたハニカム配列体は、この実施例１の正六角形状のハニカムエレメントＨが多数集まり、それぞれその側辺を結合して平らなハニガム形状に配列されたもので、これが１枚の保健・医療用のフィルム状のハニカム基材１０ａ上に塗布や貼付されたものである（図１１に示す平面図と、その一部拡大図である図１２を参照）。
【実施例７】
【００２５】
つぎに、この実施例７のハニカムエレメントＨも、上記の実施例１の説明をここに援用する。そして、そのハニカムエレメントＨがハニカム状に配列されたハニカム配列体は、この実施例１の正六角形状のハニカムエレメントＨが多数集まり、それぞれその側辺を平行的に隔離して平らなハニガム形状に配列されたものである（その配列は、図１３に示す平面図と、その一部拡大図である図１４を参照。一方、そのハニカムエレメントＨのパターンは、図１を参照）。
【実施例８】
【００２６】
そして、この実施例８のハニカムエレメントＨは、上記の実施例２の説明をここに援用する。そして、そのハニカムエレメントＨがハニカム状に配列されたハニカム配列体は、この実施例２の正六角形状のハニカムエレメントＨが多数集まり、それぞれその側辺を結合して平らなハニガム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図３を参照）。
【実施例９】
【００２７】
さらに、この実施例９のハニカムエレメントＨも、上記の実施例２の説明をここに援用する。そして、そのハニカムエレメントＨがハニカム状に配列されたハニカム配列体は、この実施例２の正六角形状のハニカムエレメントＨが多数集まり、それぞれその側辺を平行的に隔離して平らなハニガム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図３を参照）。
【実施例１０】
【００２８】
そして、この実施例８のハニカムエレメントＨは、上記の実施例３の説明をここに援用する。そして、そのハニカムエレメントＨがハニカム状に配列されたハニカム配列体は、この実施例３の正六角形状のハニカムエレメントＨが多数集まり、それぞれその側辺を結合して平らなハニガム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図５を参照）。
【実施例１１】
【００２９】
さらに、この実施例１１のハニカムエレメントＨも、上記の実施例３の説明をここに援用する。そして、そのハニカムエレメントＨがハニカム状に配列されたハニカム配列体は、この実施例３の正六角形状のハニカムエレメントＨが多数集まり、それぞれその側辺を平行的に隔離して平らなハニガム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図５を参照）。
【実施例１２】
【００３０】
そして、この実施例１２のハニカムエレメントＨは、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を結合して平らなハニガム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図７を参照）。
【実施例１３】
【００３１】
さらに、この実施例１３のハニカムエレメントＨも、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を平行的に隔離して平らなハニガム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図７を参照）。
【実施例１４】
【００３２】
そして、この実施例１４のハニカムエレメントＨは、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を結合して平らなハニガム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図９を参照）。
【実施例１５】
【００３３】
さらに、この実施例１５のハニカムエレメントＨも、上記の実施例５の説明をここに援用する。そして、そのハニカムエレメントＨがハニカム状に配列されたハニカム配列体は、この実施例５の正六角形状のハニカムエレメントＨが多数集まり、それぞれその側辺を平行的に隔離して平らなハニガム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図９を参照）。
【００３４】
なお、この発明における保健・医療用粘着物質は、３通りのものが可能である。まず、その１は、その粘着性を利用して皮膚や筋肉とか骨や靭帯、関節及び腱などに力学的に作用させるものであって、これによってその皮膚や筋肉とか骨や靭帯、関節及び腱などの保健と医療に使用すると言うものである。そして、その２は、経皮吸収型鎮痛消炎膏薬などとしての働きを持たせるべく、それらの特別な治療用の医薬をその粘着物質に混入させたものである。その３は、上記の１の力学的作用と上記の２の薬剤としての作用の両方を利用したものである。しかして、以上の３者共に共通であるものとして、この粘着により起こるかぶれの防止剤や細菌の発生を防ぐ殺菌剤などがその粘着物質には含まれるが、これはこの技術分野にとっては常識的なことであって、しかも上記の２で言う治療用の医薬でもない故に、ここで敢えて取り上げる問題ではない。
【００３５】
しかして、図１１と図１４の実施例では、この「フィルム」はテープ状に長くなっているが、これは必ずしも長尺なものに限定されるものではなく、短冊程度の長さのものも含まれる。したがって、昔から言われている「絆創膏」状のものなども含まれるものである。さらに、このフィルムは、伸縮自在のものであっても伸縮しないものであっても良いが、伸縮自在のものはその貼付箇所が激しく運動する箇所に向いている。更に、その伸縮性によって、マッサージ効果が出る。なお、伸縮性のあるものは、貼るときに伸ばして皮膚に貼る故に、この伸びた状態で正六角形になるようにするものである。したがって、これを未使用の状態ではその形状は正六角形ではない。本願発明の正六角形状の保健・医療用粘着フィルムにおいては、その使用が重要なのであるから、伸縮性のものについてのその形状は使用状態の場合を意味するものである。
【産業上の利用可能性】
【００３６】
保健・医療用粘着テープの新たな分野が広がる。
【図面の簡単な説明】
【００３７】
【図１】本発明にかかる正六角形状の保健・医療用粘着フィルムの請求項１の発明の一実施例の平面図を示したものである。
【図２】図１の実施例の側面断面図を示したものである。
【図３】図１のものの別な実施例の平面図である。
【図４】図３の実施例の側面断面図を示したものである。
【図５】図１のもののその別な実施例の平面図である。
【図６】図５の実施例の側面断面図を示したものである。
【図７】図１のもののさらに別な実施例の平面図である。
【図８】図７の実施例の側面断面図を示したものである。
【図９】図１のもののそのまた別な実施例の平面図である。
【図１０】図９の実施例の側面断面図を示したものである。
【図１１】本発明にかかる正六角形状の保健・医療用粘着フィルムの請求項２の発明の一実施例の一部省略縮小平面図を示したものである。
【図１２】図１１のものの部分拡大平面図である。
【図１３】図１２の実施例の側面断面図を示したものである。
【図１４】図１１のものの別な実施例の平面図である。
【図１５】図１４のものの部分拡大平面図である。
【図１６】図１５の実施例の側面断面図を示したものである。
【符号の説明】
【００３８】
１０  単独基材
10ａ  ハニカム基材
２０  保健・医療用粘着物質
３０  正六角形空白区域
30ａ  空白の溝
30ｂ  空白の面
Ｈ    ハニカムエレメント
【図１】
2008000507.tif 000003
【図２】
2008000507.tif 000004
【図３】
2008000507.tif 000005
【図４】
2008000507.tif 000006
【図５】
2008000507.tif 000007
【図６】
2008000507.tif 000008
【図７】
2008000507.tif 000009
【図８】
2008000507.tif 000010
【図９】
2008000507.tif 000011
【図１０】
2008000507.tif 000012
【図１１】
2008000507.tif 000013
【図１２】
2008000507.tif 000014
【図１３】
2008000507.tif 000015
【図１４】
2008000507.tif 000016
【図１５】
2008000507.tif 000017
【図１６】
2008000507.tif 000018
【手続補正書】
【提出日】平成18年6月28日(2006.6.28)
【手続補正１】
【補正対象書類名】特許請求の範囲
【補正対象項目名】全  文
【補正方法】変更
【補正の内容】
【特許請求の範囲】
【請求項１】
正六角形の保健・医療用のフィルム状の単独基材、該保健・医療用のフィルム状の単独基材の片面全面に塗布又は貼付された皮膚及び／又は筋肉及び／又は骨及び／又は靭帯及び／又は関節及び／又は腱を対象の正六角形の保健・医療用粘着物質、該正六角形の保健・医療用粘着物質の幕内に設けられたものであってこの正六角形と同方向で且つ同心上に設けられた１以上の正六角形の空白の溝又は／及び１個の正六角形の空白の面から成る正六角形空白区域、より構成されることを特徴とした正六角形状の保健・医療用粘着フィルム。
【請求項２】
１枚の保健・医療用のフィルム状のハニカム基材、該１枚の保健・医療用のフィルム状のハニカム基材の片面に塗布又は貼付される皮膚及び／又は筋肉及び／又は骨及び／又は靭帯及び／又は関節及び／又は腱を対象の正六角形の保健・医療用粘着物質であってこの正六角形の保健・医療用粘着物質の幕内に設けられるものであり且つこの正六角形と同方向で同心上に設けられる１以上の正六角形の空白の溝又は／及び１個の正六角形の空白の面から成る正六角形空白区域より成る正六角形状のハニカムエレメントでありさらにこの正六角形状のハニカムエレメントが多数集まりそれぞれその側辺を結合して又は平行的に隔離して平らなハニカム形状に配列され上記の１枚の保健・医療用のフィルム状のハニカム基材の上記の片面に塗布又は貼付されたハニカム配列体、より構成されることを特徴とした正六角形状の保健・医療用粘着フィルム。
【手続補正２】
【補正対象書類名】明細書
【補正対象項目名】全文
【補正方法】変更
【補正の内容】
【発明の詳細な説明】
【技術分野】
【０００１】
本発明は、広くは粘着テープに関するものであり、特に皮膚や筋肉とか骨や靭帯、関節及び腱などを対象とした保健・医療用の正六角形の粘着テープに関するものである。就中、その請求項２の発明は、テープに塗布されている粘着物質が一片が正六角形のもので全体で平らなハニカム形状を成している保健・医療用テープに関するものである。
【背景技術】
【０００２】
皮膚や筋肉などを怪我したときに、医薬が使用の治療用粘着テープを必要な箇所に貼付して治療に当たることが多い。そのテープは伸縮性のない布などから、伸縮性の有るものへと進化した。しかし、その治療用テープはいずれも、そのテープの全面に治療用医薬が一様に塗布されているに過ぎない。
【０００３】
しかして、立体のハニカム構造は力学的に非常に強度が強く、軽量で、且つスペースの節約を発揮するなどのメリットがある。それ故に、自然界のみつ蜂やすずめ蜂の巣ばかりでなく、人工的にはそれを応用して、陸海空を始めとして宇宙などの各種の構造物に応用されている。
【０００４】
みつ蜂の巣があのようなハニカム構造になっているのは、巣の材料（みつ蝋）が最小限の量で最大限の量の蜂密を入れることのできる部屋の構造となるからである。要するに、ハニカム構造は、材料の効率の点からも優れたものと言えるのである。
【０００５】
一方、平らな鍋に水を入れて鍋底を均等に加熱するときであって、非常に微弱な火力でそのお湯が微弱に沸き立ち始めるときに、そのお湯の対流に特殊なパターンが出る。そのパターンは、ハニカム構造のお湯の対流パターンであって、これは下記の非特許文献が言及しているベナール対流と言うものである。このようなハニカムパターンの対流は、ごく微弱なエネルギーでお湯沸きの対流が起きることを示したものである。
【０００６】
本願発明は、この少量の物質とか微弱エネルギーで効率の良いハニカムパターンを保健・医薬用粘着テープに応用したものである。
【発明の開示】
【発明が解決しようとする課題】
【０００７】
しかして、本願発明が解決しようとする問題点は、従来の保健・医薬用粘着テープは、そのテープ製の基材面の全面にわたって均等にその保健・医療用粘着物質を塗布してある点である。これには、その効率性が何も図られていない。これでは、極端な表現をすると、「押さえ込む」と言う状態で、その保健・医療用粘着物質を身体に作用させていると言う感じになる。
【０００８】
保健・医療用粘着テープは、一般の者は患部の適当な箇所に適当に貼付している。しかし、その貼付には正式には特殊な技術を要して、どの患部のどの箇所にどのように貼付するのかは大切なことである。それが、整骨院に携わる柔道整復師の技術なのである。丁度、鍼灸師が、鍼灸をどの箇所にどのように施すのかのいわゆる「つぼ」といわれている経絡経穴を必要とすることと同様なことである。本願発明は、本願発明の発明者である柔道整復師のそのような深い体験に基づいて生まれたものである。
【０００９】
なお、本願発明の請求項２における「ハニカム」に関して、下記の特許文献が２件ある。その特許文献１は、要するに「バンドエイド」（商標）のようなもので、真ん中に相承被服層４４（その明細書の段落００３７と図４）があり、そこが薬効手段であって、その両端は粘着テープとなっているものである。これは本願とは異なり、その創傷被服層４４は「ハニカム」ではなく、その薬効効果のないテープ部分がハニカムである。それ故に、その薬効手段がハニカムとなる本願発明の請求項２のものと技術的構成は異なる。また、その特許文献２にも、ハニカムという表現がある。しかしこれは、その請求項３で「−−−前記凹みはハニカムパターン形状−−−」としてその請求項２を通じて、その請求項１におっている。そして、その重要な請求項１では、「−−−凹みパターンは、線形ではなく少なくとも三つの主方向に配列された複数の凹みのパターンな形状を成した−−−」としている。これでは、「ハニカム」に結びつく表現には成らず、矛盾した技術文献であり、「ハニカムの技術」を公開しているものとは言えない。
【特許文献１】特開２００３−５０９１２１
【特許文献２】特開２００６−５０７０６５
【非特許文献１】マーク・ブキャナン著  坂本芳久訳  複雑な世界、単純な法則（１４５頁）  草思社
【非特許文献２】Joseph 著  中村千秋  渡辺賢一  翻訳  動きでわかる解剖と機能  株式会社  医道の日本社
【課題を解決するための手段】
【００１０】
本発明にかかる正六角形状の保健・医療用粘着フィルムは、以上の課題を解決するために、その請求項１においてはその保健・医療用粘着フィルム製基材を正六角形状とした。そして、その保健・医療用粘着物質をその正六角形状のフィルム製基材面に塗布したものである。具体的には、その保健・医療用粘着物質をその正六角形状のフィルム製基材面に塗布したものが基本であるが、以下に差があるのである。まず、（１ａ）その正六角形の保健・医療用粘着物質の幕内に正六角形の空白の溝が同心上に１本塗布又は貼付されたもの。そして、（１ｂ）この溝が複数のもの。さらに、（１ｃ）この溝に代えて、正六角形の空白の面が１個塗布又は貼付されたもの。そして、（１ｄ）正六角形の空白の面が１個と正六角形の空白の溝が１本塗布又は貼付されたもの。最後に、（１ｅ）正六角形の空白の面が１個と正六角形の空白の溝が複数本塗布又は貼付されたものとである。
【００１１】
以下に、本発明にかかる正六角形状の保健・医療用粘着フィルムの具体的な構成を詳細に記載する。最初に、本発明の請求項１に記載した発明の構成を説明する。この発明は、まず、正六角形の保健・医療用のフィルム状の単独基材がある。つぎに、正六角形の保健・医療用粘着物質がある。この正六角形の保健・医療用粘着物質は、上記の保健・医療用のフィルム状の単独基材の片面全面に塗布又は貼付された皮膚及び／又は筋肉及び／又は骨及び／又は靭帯及び／又は関節及び／又は腱を対象の正六角形の保健・医療用粘着物質の幕内に設けられたものであってこの正六角形と同方向で且つ同心上に設けられた１以上の正六角形の空白の溝又は／及び１個の正六角形の空白の面から成る正六角形空白区域を有するものである。
【００１２】
つぎに、本発明にかかる正六角形状の保健・医療用粘着フィルムの請求項２に記載した発明の構成を説明する。この発明は、その基本的な箇所の構成は上記の請求項１の発明の構成と同一である。そして、上記の請求項１の発明の構成のものが多数平らなハニカム形状に配列されたものである。この発明と上記の請求項１の発明の構成との差異は、まず上記の請求項１の保健・医療用のフィルム状の単独基材は正六角形である。これに対して、この請求項２の保健・医療用フィルム状のハニカム基材は、１枚のシートであることである。そして、この１枚の保健・医療用のフィルム状のハニカム基材の上に、上記の請求項１の正六角形状の保健・医療用粘着フィルムが多数小片となって、平らなハニカム状に配列されるものである。ただし、このハニカムの配列の仕方は２通りあって、その１は、（２Ａ）その正六角形状のハニカムエレメントが、それぞれその側辺を結合して平らなハニカム形状に配列されされているもの。そして、その２は、（２Ｂ）その正六角形状のハニカムエレメントが、それぞれその側辺を平行的に隔離して平らなハニカム形状に配列されているかの差である。
【００１３】
以下に、本発明にかかる正六角形状の保健・医療用粘着フィルムの請求項２に記載した発明の具体的な構成を説明する。この発明は、まず１枚の保健・医療用のフィルム状のハニカム基材がある。そして、ハニカム配列体がある。このハニカム配列体は、上記の１枚の保健・医療用のフィルム状のハニカム基材の片面に塗布又は貼付されたものである。
【００１４】
しかして、上記のハニカム配列体は、下記の正六角形状のハニカムエレメントが多数集まりそれぞれその側辺を結合して又は平行的に隔離して平らなハニカム形状に配列されたものである。そして、上記の正六角形状のハニカムエレメントは、上記の１枚の保健・医療用のフィルム状のハニカム基材の上記の片面に塗布又は貼付されたされる皮膚及び／又は筋肉及び／又は骨及び／又は靭帯及び／又は関節及び／又は腱を対象の正六角形の保健・医療用粘着物質であって、この正六角形の保健・医療用粘着物質の幕内に設けられるものであり、且つこの正六角形と同方向で同心上に設けられた１以上の正六角形の空白の溝又は／及び１個の正六角形の空白の面から成る正六角形空白区域を有したものより成る。
【発明の効果】
【００１５】
本発明にかかる正六角形状の保健・医療用粘着フィルムは、以上のごとくになしたゆえに、上記の課題を解決して以下のごとき多大な効果が生じた。すなわち、正六角形には放射状に柔軟で安定した固定をする性質がある（正六角形が集合した状態がハニカム構造である）。そして、本願発明は、その性質を利用したものである。しかして、皮膚に正六角形状のテーピングを貼付することによりその部位を皮膚固定した状態にするものである。さらに、その皮下に存在する筋肉、腱、靭帯、関節を安定した状態にし、かつ整え症状を改善に導くものである。さらには、身体に対しての捻挫・打撲・挫傷・筋損傷時に起きる炎症や腫脹部位に貼付すると飛躍的にそれらが軽減させることが出来るものとなった。具体的には、筋肉と腱は弛緩し、関節は可動域が改善する。
【発明を実施するための最良の形態】
【００１６】
正六角形にカットした保健・医療用粘着物質が塗布又は貼付されたテープを使用することで、身体に対する筋・腱の硬結及び、疼痛部位に関連する筋、腱の起始（非可動部）停止（可動部）及び靭帯付着部に値する皮膚上に正六角形にカットした保健・医療用粘着物質が塗布又は貼付されたテープを貼付する。さらには、身体の関節に対する疼痛部位及び、関節可動域減少部に値する皮膚上に正六角形のテーピングを貼付する。上記の行為より症状は、飛躍的に改善する。その上に、本願発明の請求項２のものは、保健・医療用粘着テープを正六角２２平らなハニカム模様にしたことにより、貼付箇所の皮膚の働きを改善し、それに伴い皮膚の内側の働きも改善されていくと言う利点がある。
【００１７】
しかして、正六角形とハニカムが持つ固有情報は、まず一面に粘着物が塗布してあると、縦方向の皮膚の動きは適応できる。しかし、ハニカム状にすることで縦・横・斜めの複合された皮膚の動きに対しても無理のない状態でテーピング自体が同調伸縮する。そして、一面に粘着物質が塗布してあると、通気性が乏しくかぶれやすい。それで、ハニカム状にしてあることで通気性を確保し、かぶれに対しても一定の効力を持つ。すなわち、皮膚の抵抗感が少ないことは、皮膚の抵抗が少ないことでありかぶれにくいことである（皮膚の動きに抵抗があり、貼付箇所が擦れるとかぶれが一番起こりやすい）。そこで、ハニカム状にすることで、縦・横・斜めの皮膚の動きが出しやすくなる。テーピングの同調伸縮で、一定のマッサージ効果も期待できる。リンパの働きも良くなり、身体の機能を高める結果となった。
【００１８】
以下に、本発明にかかる正六角形状の保健・医療用粘着フィルムの実施例を述べる。最初に、本発明の請求項１に記載した発明の実施例を説明する。この発明は、まず、正六角形の保健・医療用粘着フィルム製単独基材１０を正六角形状としたものである。そして、その保健・医療用粘着物質２０をその正六角形状のフィルム製単独基材１０の片面に、所定の空白区域３０を設けて、塗布・貼付したもので、この空白区域３０を含んだ塗布・貼付面が、ハニカムエレメントＨとして、次に述べる請求項２を構成するものである。以下に、この請求項１の実施例を５例あげたが、何れも具体的には、その保健・医療用粘着物質２０をその正六角形状のフィルム製単独基材１０の一方の面（片面）に塗布したものが基本であるが、以下に差があるのである。
【実施例１】
【００１９】
まず、その１の実施例であるが、（１ａ）これは図１の平面図と図２の正面断面図に示すように、その正六角形の保健・医療用粘着物質２０の幕内に正六角形の空白の溝１０ａが同心上に１本設けられたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１本の正六角形の空白の溝３０ａから成っている。
【実施例２】
【００２０】
次の実施例は、（１ｂ）図３の平面図と図４の正面断面図に示すように、上記の溝３０ａが複数のものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、複数本の正六角形の空白の溝３０ａから成っている。
【実施例３】
【００２１】
その３は、（１ｃ）図５の平面図と図６の正面断面図に示すように、上記の溝３０ａに代えて、正六角形の空白の面３０ｂが１個塗布又は貼付されたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１個の正六角形の空白の面３０ｂから成っている。
【実施例４】
【００２２】
そしてその４つ目の例は、（１ｄ）図７の平面図と図８の正面断面図に示すように、正六角形の空白の面３０ｂが１個と正六角形の空白の溝３０ａが１本塗布又は貼付されたものである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、１本の正六角形の空白の溝３０ａと１個の空白の面３０ｂから成っている。
【実施例５】
【００２３】
最後に、その５例は、（１ｅ）図９の平面図と図１０の正面断面図に示すように、正六角形の空白の面３０ｂが１個と正六角形の空白の溝３０ａが複数本塗布又は貼付されたものとである。具体的には、この発明は、正六角形の保健・医療用のフィルム状の単独基材１０がある。つぎに、皮膚及び／又は筋肉及び／又は骨及び／又は靭帯及び／又は関節及び／又は腱を対象の正六角形の保健・医療用粘着物質２０がある。この正六角形の保健・医療用粘着物質２０は、上記の保健・医療用のフィルム状の単独基材１０の片面全面に塗布又は貼付されたものであって、以下に述べる正六角形空白区域３０を有するものである。しかして、上記の正六角形空白区域３０は、上記の正六角形の保健・医療用粘着物質２０の幕内に設けられたものであってこの正六角形と同方向で且つ同心上に設けられたもので、複数本の正六角形の空白の溝３０ａと１個の空白の面３０ｂから成っている。
【実施例６】
【００２４】
しかして、以下に請求項２に記載の実施例を述べる。これは、基本的には上記の請求項１と同じものであり、この請求項１を構成している正六角形の保健・医療用粘着物質２０正六角形空白区域３０とから成るハニカムエレメントＨの各実施例の説明はこの請求項２の各実施例にそのまま援用される。しかして、この実施例６のハニカムエレメントＨは、上記の実施例１の説明をここに援用する。そして、そのハニカムエレメントＨがハニカム状に配列されたハニカム配列体は、この実施例１の正六角形状のハニカムエレメントＨが多数集まり、それぞれその側辺を結合して平らなハニカム形状に配列されたもので、これが１枚の保健・医療用のフィルム状のハニカム基材１０ａ上に塗布や貼付されたものである（図１１に示す平面図と、その一部拡大図である図１２を参照）。
【実施例７】
【００２５】
つぎに、この実施例７のハニカムエレメントＨも、上記の実施例１の説明をここに援用する。そして、そのハニカムエレメントＨがハニカム状に配列されたハニカム配列体は、この実施例１の正六角形状のハニカムエレメントＨが多数集まり、それぞれその側辺を平行的に隔離して平らなハニカム形状に配列されたものである（その配列は、図１３に示す平面図と、その一部拡大図である図１４を参照。一方、そのハニカムエレメントＨのパターンは、図１を参照）。
【実施例８】
【００２６】
そして、この実施例８のハニカムエレメントＨは、上記の実施例２の説明をここに援用する。そして、そのハニカムエレメントＨがハニカム状に配列されたハニカム配列体は、この実施例２の正六角形状のハニカムエレメントＨが多数集まり、それぞれその側辺を結合して平らなハニカム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図３を参照）。
【実施例９】
【００２７】
さらに、この実施例９のハニカムエレメントＨも、上記の実施例２の説明をここに援用する。そして、そのハニカムエレメントＨがハニカム状に配列されたハニカム配列体は、この実施例２の正六角形状のハニカムエレメントＨが多数集まり、それぞれその側辺を平行的に隔離して平らなハニカム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図３を参照）。
【実施例１０】
【００２８】
そして、この実施例８のハニカムエレメントＨは、上記の実施例３の説明をここに援用する。そして、そのハニカムエレメントＨがハニカム状に配列されたハニカム配列体は、この実施例３の正六角形状のハニカムエレメントＨが多数集まり、それぞれその側辺を結合して平らなハニカム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図５を参照）。
【実施例１１】
【００２９】
さらに、この実施例１１のハニカムエレメントＨも、上記の実施例３の説明をここに援用する。そして、そのハニカムエレメントＨがハニカム状に配列されたハニカム配列体は、この実施例３の正六角形状のハニカムエレメントＨが多数集まり、それぞれその側辺を平行的に隔離して平らなハニカム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図５を参照）。
【実施例１２】
【００３０】
そして、この実施例１２のハニカムエレメントＨは、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を結合して平らなハニカム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図７を参照）。
【実施例１３】
【００３１】
さらに、この実施例１３のハニカムエレメントＨも、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を平行的に隔離して平らなハニカム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図７を参照）。
【実施例１４】
【００３２】
そして、この実施例１４のハニカムエレメントＨは、上記の実施例４の説明をここに援用する。そして、そのハニカムエレメントＨがハニカム状に配列されたハニカム配列体は、この実施例４の正六角形状のハニカムエレメントＨが多数集まり、それぞれその側辺を結合して平らなハニカム形状に配列されたもので、これが１枚の保健・医療用のフィルム状のハニカム基材１０ａ上に塗布や貼付されたものである（図１１に示す平面図と、その一部拡大図である図１２を参照。一方、そのハニカムエレメントＨのパターンは、図９を参照）。
【実施例１５】
【００３３】
さらに、この実施例１５のハニカムエレメントＨも、上記の実施例５の説明をここに援用する。そして、そのハニカムエレメントＨがハニカム状に配列されたハニカム配列体は、この実施例５の正六角形状のハニカムエレメントＨが多数集まり、それぞれその側辺を平行的に隔離して平らなハニカム形状に配列されたもので、これが１枚の保健・医療用のフィルム状のハニカム基材１０ａ上に塗布や貼付されたものである（その配列は、図１３に示す平面図と、その一部拡大図である図１４を参照。一方、そのハニカムエレメントＨのパターンは、図９を参照）。
【００３４】
なお、この発明における保健・医療用粘着物質は、３通りのものが可能である。まず、その１は、その粘着性を利用して皮膚や筋肉とか骨や靭帯、関節及び腱などに力学的に作用させるものであって、これによってその皮膚や筋肉とか骨や靭帯、関節及び腱などの保健と医療に使用すると言うものである。そして、その２は、経皮吸収型鎮痛消炎膏薬などとしての働きを持たせるべく、それらの特別な治療用の医薬をその粘着物質に混入させたものである。その３は、上記の１の力学的作用と上記の２の薬剤としての作用の両方を利用したものである。しかして、以上の３者共に共通であるものとして、この粘着により起こるかぶれの防止剤や細菌の発生を防ぐ殺菌剤などがその粘着物質には含まれるが、これはこの技術分野にとっては常識的なことであって、しかも上記の２で言う治療用の医薬でもない故に、ここで敢えて取り上げる問題ではない。
【００３５】
しかして、図１１と図１４の実施例では、この「フィルム」はテープ状に長くなっているが、これは必ずしも長尺なものに限定されるものではなく、短冊程度の長さのものも含まれる。したがって、昔から言われている「絆創膏」状のものなども含まれるものである。さらに、このフィルムは、伸縮自在のものであっても伸縮しないものであっても良いが、伸縮自在のものはその貼付箇所が激しく運動する箇所に向いている。更に、その伸縮性によって、マッサージ効果が出る。なお、伸縮性のあるものは、貼るときに伸ばして皮膚に貼る故に、この伸びた状態で正六角形になるようにするものである。したがって、これを未使用の状態ではその形状は正六角形ではない。本願発明の正六角形状の保健・医療用粘着フィルムにおいては、その使用が重要なのであるから、伸縮性のものについてのその形状は使用状態の場合を意味するものである。
【産業上の利用可能性】
【００３６】
保健・医療用粘着テープの新たな分野が広がる。
【図面の簡単な説明】
【００３７】
【図１】本発明にかかる正六角形状の保健・医療用粘着フィルムの請求項１の発明の一実施例の平面図を示したものである。
【図２】図１の実施例の側面断面図を示したものである。
【図３】図１のものの別な実施例の平面図である。
【図４】図３の実施例の側面断面図を示したものである。
【図５】図１のもののその別な実施例の平面図である。
【図６】図５の実施例の側面断面図を示したものである。
【図７】図１のもののさらに別な実施例の平面図である。
【図８】図７の実施例の側面断面図を示したものである。
【図９】図１のもののそのまた別な実施例の平面図である。
【図１０】図９の実施例の側面断面図を示したものである。
【図１１】本発明にかかる正六角形状の保健・医療用粘着フィルムの請求項２の発明の一実施例の一部省略縮小平面図を示したものである。
【図１２】図１１のものの部分拡大平面図である。
【図１３】図１２の実施例の側面断面図を示したものである。
【図１４】図１１のものの別な実施例の平面図である。
【図１５】図１４のものの部分拡大平面図である。
【図１６】図１５の実施例の側面断面図を示したものである。
【符号の説明】
【００３８】
１０  単独基材
10ａ  ハニカム基材
２０  保健・医療用粘着物質
３０  正六角形空白区域
30ａ  空白の溝
30ｂ  空白の面
Ｈ    ハニカムエレメント